(57)【要約】  【課題】    簡易な方法で以ってネットフェンスの疲労破壊を回避してネットフェンスの耐久性の向上が図れる、ネットフェンスの取付構造を提供すること。  【解決手段】    ネットフェンス３０の縁部と平行に胴索４０を緊張して配設し、ネットフェンス３０の縁部と胴索４０との間にヒンジ連結装置５０を介在させてネットフェンス３０の縁部を回動自在に連結した。【選択図】  図２
0003110003.tif 000002
【実用新案登録請求の範囲】
【請求項１】
所定の間隔を隔てて立設した複数の支柱間に張り巡らしたネットフェンスの縁部を固定して取り付ける構造であって、
ネットフェンスの縁部と平行に胴索を緊張して配設し、
前記ネットフェンスの縁部を前記胴索に回動自在に連結したことを特徴とする、
ネットフェンスの取付構造。
【請求項２】
所定の間隔を隔てて立設した複数の支柱間に張り巡らしたネットフェンスの縁部を固定して取り付ける構造であって、
ネットフェンスの縁部と平行に胴索を緊張して配設し、
前記ネットフェンスの縁部と前記胴索との間にヒンジ連結装置を介在させてネットフェンスの縁部を回動自在に連結したことを特徴とする、
ネットフェンスの取付構造。
【請求項３】
請求項２において、ヒンジ連結装置がネットフェンスの縁部に一体に取り付けた縁材と、前記縁材と胴索との間を回動自在に接続する連結材とを一体に形成して構成することを特徴とする、ネットフェンスの取付構造。
【考案の詳細な説明】
【技術分野】
【０００１】
本考案は競技場、野球場、グラウンド等に設置されるバックネットや防球ネット等のネットフェンスを固定するネットフェンスの取付構造に関するものである。
【背景技術】
【０００２】
野球場のネットフェンス施設は、所定の間隔を隔てて立設した支柱と、これらの支柱間に弛みのない状態で張設した金網製のネットフェンスとにより構成されている。
またネットフェンスの下縁の自由な変位を阻止するため、ネットフェンスの下縁の全長に亘って既設構造物に固定している。
【考案の開示】
【考案が解決しようとする課題】
【０００３】
ネットフェンスの下縁部を強固に固定してあるため、ネットフェンスに球や強風が当たるとその都度ネット面が前後方向に揺れ動く。
ネット面の揺れは、固定したネットフェンスの下縁部に繰り返しの曲げ力として作用するため、ネットフェンスの固定部の近傍の金網素線が早期に疲労破壊を起こし易く、ネットフェンスの耐久性に問題がある。
【０００４】
本考案は以上の点に鑑みて成されたもので、その目的とするところは、簡易な方法で以ってネットフェンスの疲労破壊を回避してネットフェンスの耐久性の向上が図れる、ネットフェンスの取付構造を提供することにある。
【課題を解決するための手段】
【０００５】
本願の第１考案に係るネットフェンスの取付構造は、所定の間隔を隔てて立設した複数の支柱間に張り巡らしたネットフェンスの縁部を固定して取り付ける構造であって、ネットフェンスの縁部と平行に胴索を緊張して配設し、前記ネットフェンスの縁部を前記胴索に回動自在に連結したことを特徴とするものである。
本願の第２考案に係るネットフェンスの取付構造は、所定の間隔を隔てて立設した複数の支柱間に張り巡らしたネットフェンスの縁部を固定して取り付ける構造であって、ネットフェンスの縁部と平行に胴索を緊張して配設し、前記ネットフェンスの縁部と前記胴索との間にヒンジ連結装置を介在させてネットフェンスの縁部を回動自在に連結したことを特徴とするものである。
本願の第３考案に係るネットフェンスの取付構造は、前記第２考案において、ヒンジ連結装置がネットフェンスの縁部に一体に取り付けた縁材と、前記縁材と胴索との間を回動自在に接続する連結材とを一体に形成して構成することを特徴とするものである。
【考案の効果】
【０００６】
本考案はネットフェンスの縁部を胴索に回動自在に連結したことにより、ネットフェンスの縁部が回動してネット面の揺れを許容することができる。
そのため、従来のようにネットフェンスの金網素線が疲労破壊を起こすことを未然に防止できて、ネットフェンスの耐久性が格段に向上する。
また簡単な構造のヒンジ連結装置を使用するだけであるから、低コストで取り付けできる。
【考案を実施するための最良の形態】
【０００７】
以下に図面を参照しながら本考案の最良の形態について説明する。
（１）ネットフェンス施設
図４に一部を省略したネットフェンス施設の下部の正面図を示す。
図示したネットフェンス施設は、従来と同様に所定の間隔を隔てて既設構造物１０に立設した複数の支柱２０と、支柱２０間に張り巡らしたネットフェンス３０とよりなる。
支柱２０は鉄柱やコンクリート柱を含み、またネットフェンス３０は溶接金網や菱形金網を含む。
【０００８】
本考案はネットフェンス３０の下縁と平行にロープ製の胴索４０を緊張して配設すると共に、ネットフェンス３０の下縁を前記胴索４０に回動自在に連結したものである。
本例ではその連結手段としてヒンジ連結装置５０を使用する場合について説明する。
【０００９】
（２）ヒンジ連結装置
図１に一部を破断したヒンジ連結装置５０の斜視図を示す。
ヒンジ連結装置５０は、ネットフェンス３０の下縁両側を覆う帯状の縁材５１，５１と、胴索４０を既設構造物１０に固定する手段と、縁材５１，５１及び胴索４０の間を回動自在に連結する連結材５２とにより構成される。
【００１０】
［縁材］
縁材５１，５１は一対の帯板、または断面がＵ字形を呈する帯板からなり、その内側にネットフェンス３０の下縁を収容して、ボルト５３とナット５４を介して一体に取り付けられる。
【００１１】
［胴索の固定手段］
胴索４０を既設構造物１０に固定する手段としては、例えば図３に示すようなＵボルト５５とナット５４の組合体を使用できる。胴索４０に外装したＵボルト５５を既設構造物１０側に設けた固定片１１に貫通させてナット５４で締結することで胴索４０を弛みのない緊張状態で既設構造物１０に固定することが可能となる。
【００１２】
［連結材］
連結材５２は胴索４０を収容可能な溝幅に鋼材をＵ字形に屈曲して形成したもので、その上部にボルト孔を有する。
連結材５２はその上部を、ボルト５３、ナット５４を介して縁材５１，５１に固定する（図２参照）。
【００１３】
（３）作用
図２に拡大して示すようにネットフェンス３０の下縁は、縁材５１，５１と、縁材５１，５１及び胴索４０間を接続した連結材５２とにより構成するヒンジ連結装置５０を介して、ネット面の貫通方向へ向けた自由な変位が拘束されている。
ここでネット面に球や強風が当たるとその都度ネット面が前後方向に揺れ動く。
ネット面の揺れは、固定したネットフェンス３０の下縁部に繰り返し作用するが、ネットフェンス３０はヒンジ連結装置５０の連結材５２が胴索４０を中心に回動するだけで曲げ力として作用しない。
【００１４】
すなわち、ネットフェンス３０の下縁がネット面貫通方向へ向けた自由な変位を拘束した状態で、ネット面の揺れを効率よく逃がすことが可能となる。
そのため、従来のように、ネットフェンス３０の固定部の近傍の金網素線が疲労破壊を起こすのを防止できる。
【００１５】
尚、以上はネットフェンス３０の下縁部にヒンジ連結装置５０を配置した場合について説明したが、支柱１０の上部間に張設した胴索４０に対してヒンジ連結装置５０を介してネットフェンス３０の上縁部を回動自在に連結してもよい。
【図面の簡単な説明】
【００１６】
【図１】ヒンジ連結装置を介してネットフェンスを取り付けた概要を説明するための斜視図
【図２】ネットフェンスの下縁の横断面図
【図３】胴索の固定位置におけるネットフェンスの下縁の横断面図
【図４】一部を省略したネットフェンス施設の正面図
【符号の説明】
【００１７】
１０・・・既設構造物
２０・・・支柱
３０・・・ネットフェンス
４０・・・胴索
５０・・・ヒンジ連結装置
５１・・・縁材
５２・・・連結材
５３・・・ボルト
５４・・・ナット
５５・・・Ｕボルト
【図１】
0003110003.tif 000003
【図２】
0003110003.tif 000004
【図３】
0003110003.tif 000005
【図４】
0003110003.tif 000006